(57)【要約】  飲料、特にコーヒーを作るためのポーションパッケージ（１）であって、内部に抽出材料が配置された、フィルタ材料から成る容器（２）と、容器（２）を少なくとも部分的に包囲している支持体（３）とを有しており、容器（２）は、初期位置では閉じられた状態で形成されており、フィルタ材料の縁部の少なくとも一部が旋回することによって開かれるようになっており、容器（２）は、初期位置では閉鎖手段（１０，１０’）によって閉鎖位置に保たれており、閉鎖手段（１０，１０’）は、調製過程のために水で湿らせることによって外すことができるようになっている。さらに本発明は、このようなポーションパッケージ（１）を用いて飲料を作る方法に関する。
2021510656.tif 000002
【特許請求の範囲】
【請求項１】
飲料、特にコーヒーを作るためのポーションパッケージ（１）であって、内部に抽出材料が配置された、フィルタ材料から成る容器（２）と、該容器（２）を少なくとも部分的に包囲している支持体（３）とを有しており、前記容器（２）は、初期位置では閉じられた状態で形成されており、前記フィルタ材料の縁部の少なくとも一部が旋回することにより開かれるようになっている、ポーションパッケージ（１）において、
前記容器（２）は、前記初期位置では閉鎖手段（１０，１０’’）によって閉鎖位置に保たれており、前記閉鎖手段（１０，１０’’）は、飲料を調製するために水で湿らせることによって外すことができることを特徴とする、ポーションパッケージ（１）。
【請求項２】
前記支持体（３）は、水によって膨張可能な材料から成っている、請求項１記載のポーションパッケージ。
【請求項３】
前記支持体は、水で湿らされると、少なくとも１つの折畳み縁部（８）において展開する、請求項１または２記載のポーションパッケージ。
【請求項４】
前記支持体（３，３’）は、前記容器（２）の上面に、折畳み縁部（８）を介して前記容器（２）の側壁の区間（６，６’）と結合された複数のフラップ（７，７’，７’’）を有している、請求項１から３までのいずれか１項記載のポーションパッケージ。
【請求項５】
前記支持体（３，３’）は、閉鎖位置で前記容器（２）の上縁部に環状に設けられている、請求項１から４までのいずれか１項記載のポーションパッケージ。
【請求項６】
前記支持体（３，３’）は、ボール紙から製造されている、請求項１から５までのいずれか１項記載のポーションパッケージ。
【請求項７】
前記支持体（３，３’）を備えた前記容器（２）は、前記閉鎖位置で上から見ると五角形〜八角形、好適には六角形に形成されている、請求項１から６までのいずれか１項記載のポーションパッケージ。
【請求項８】
前記容器（２）は下側に、前記支持体（３，３’）により被覆されていない、フィルタ材料から成る尖端部（４）を有している、請求項１から７までのいずれか１項記載のポーションパッケージ。
【請求項９】
前記フィルタ材料の上部域（９）は、前記支持体（３）と共に展開可能である、請求項１から８までのいずれか１項記載のポーションパッケージ。
【請求項１０】
前記フィルタ材料は、前記初期位置では前記容器（２）の上面において折り畳まれており、前記支持体（３，３’）および／または前記閉鎖手段（１０，１０’）によって折り畳まれた位置に保持されている、請求項１から９までのいずれか１項記載のポーションパッケージ。
【請求項１１】
個別ポーションの体積は調製中に、調製前の初期体積の２倍超、特に３倍超の大きさになる、請求項１から１０までのいずれか１項記載のポーションパッケージ。
【請求項１２】
前記容器（２）と前記支持体（３，３’）との間の接触は、エンボス加工部、リブまたは打抜き部によって最小にされている、請求項１から１１までのいずれか１項記載のポーションパッケージ。
【請求項１３】
前記支持体の、前記フラップ（７，７’，７’’）が枢着された、周方向に延在する折畳み縁部（８）には、好適には該折畳み縁部（８）の長さの２０％〜５０％を占める切抜き部（１８，１９）が設けられている、請求項１から１２までのいずれか１項記載のポーションパッケージ。
【請求項１４】
ポーションパッケージ（１）を用いて飲料を作る方法であって、以下のステップ、すなわち
内部に抽出材料が配置され、支持体（３，３’）により包囲された、フィルタ材料から成る容器（２）を備える閉じたポーションパッケージ（１）を飲料調製装置に挿入するステップと、
前記閉じたポーションパッケージ（１）に給水し、該ポーションパッケージ（１）に設けられた閉鎖手段（１０，１０’，１０’’）を水で湿らせることによって外すステップと、
前記閉鎖手段（１０，１０’，１０’’）を外すことにより、前記ポーションパッケージ（１）を開き、前記容器（２）に設けられた前記支持体（３，３’）を展開させるステップと、
前記容器（２）内に配置された飲料調製用の前記抽出材料に給水するステップと、
を有する方法。
【請求項１５】
前記閉鎖手段（１０，１０’’）を外すために、熱湯を用いる、請求項１４記載の方法。
【請求項１６】
前記閉鎖手段（１０，１０’，１０’’）を外すために、５ｍｌ〜１００ｍｌ、特に１０ｍｌ〜５０ｍｌの水量を供給する、請求項１５記載の方法。
【請求項１７】
前記支持体（３，３’）は、前記容器（２）の上面に、開放時に９０°〜１８０°、特に１１０°〜１５０°旋回するフラップ（７，７’，７’’）を有している、請求項１４から１６までのいずれか１項記載の方法。
【発明の詳細な説明】
【技術分野】
【０００１】
本発明は、飲料、特にコーヒーを作るためのポーションパッケージであって、内部に抽出材料が配置された、フィルタ材料から成る容器と、容器を少なくとも部分的に包囲している支持体とを有しており、容器は、初期位置では閉じられた状態で形成されており、フィルタ材料の縁部の少なくとも一部が旋回することによって開かれるようになっている、ポーションパッケージ、およびポーションパッケージを用いて飲料を作る方法に関する。
【背景技術】
【０００２】
コーヒー調製用には、欧州特許第２６８８４７号明細書に記載の、容器に載置可能な、ボール紙から成る保持フレームと、フィルタペーパから成るフィルタバッグとを有するフィルタが存在する。これによりフィルタバッグを、保持フレームを介して所定の位置に保つことができるようになっており、ユーザは、コーヒーを抽出するためにフィルタバッグに供給してから抽出過程を実施する。確かにコーヒーの味は、調製時にフィルタペーパに個別に供給しかつ手動で抽出することによって個別に考慮され得るが、コーヒー粉を挽いてフィルタバッグに供給し、次いで手動で抽出することは、比較的手間がかかる。
【０００３】
独国特許出願公開第１９５２０８３７号明細書に記載の、挽かれたコーヒーを含むポーションコーヒーフィルタバッグは、真空パックされて形成されていてよく、パッケージから取り出すとすぐに使用することができるようになっている。このようなポーションパッケージは多様な形態で知られており、コーヒー調製時の要求が不十分にしか考慮されないという欠点を有している。コーヒー抽出時にはコーヒー粉の体積が増大するので、高圧でエスプレッソを作る場合とは異なり、注水時にコーヒー粉が広がることができるようになっていることが望ましい。さらに、高価値のコーヒー飲料を作る際には、所定のコーヒーベッド幾何学形状や、コーヒー粉を均一に濡らすことが必要とされており、これらは、従来のポーションパッケージでは達成されないことが多い。
【０００４】
欧州特許第４０１９５１号明細書には、紙製のフィルタバッグと、カップに載置可能な支持体とを備えたフィルタ装置が開示されている。
【発明の概要】
【発明が解決しようとする課題】
【０００５】
したがって、本発明の課題は、簡単な調製と同時に高品質を可能にする飲料、特にコーヒーを作るためのポーションパッケージ、および飲料を作る方法を提供することにある。ポーションパッケージの輸送体積は、調製時の体積を制限すること無しに、小さくなっていることが望ましい。
【課題を解決するための手段】
【０００６】
この課題は、請求項１記載の特徴を有するポーションパッケージならびに請求項１４記載の特徴を有する方法によって解決される。
【０００７】
本発明によるポーションパッケージでは、少なくとも部分的に支持体によって包囲されている、フィルタ材料から成る容器が、初期位置では閉じられた状態に保たれ、次いで飲料を調製するために閉鎖手段が外されて、ポーションパッケージを開くことができ、ひいては抽出材料に直接にアプローチすることができるようになっている。引き続き飲料を調製する際に、抽出材料の体積は、閉じられた包みによって圧縮されること無く膨張することが可能である。これにより、特にフローテーションおよび濾過によるコーヒーの調製の際に、質の低下が回避される。
【０００８】
この場合、ポーションパッケージに設けられた閉鎖手段は、水で湿らせることによって外すことができる。閉鎖手段は、例えば食品調製用に認可されておりかつ澱粉または別の天然の接着剤を含むことがある、水溶性の接着剤から成っていてよい。閉鎖手段を水で湿らせることにより、ポーションパッケージを開けることができる。この場合、開放は、例えばポーションパッケージの予荷重に基づき、好適には自発的に行われ、ポーションパッケージは、閉鎖手段が外されると開くようになっている。ただし、好適には、開放に水が用いられ、支持体の少なくとも１つの折畳み縁部が水で湿らされ、これにより支持体の形状が変化するようになっている。別の手段は、閉鎖手段自体を、機能しなくなるまで弱めるか、または差込み結合部の剛性を低下させることである。また、機械的な係止手段または保持手段によって、閉鎖手段が形成されていてもよく、この場合、閉鎖手段は手動で、または給湿によって、係止解除することができる。
【０００９】
好適な構成では、支持体の旋回可能な各フラップは、ポーションパッケージの閉鎖位置では少なくとも２つの平面内に相上下して配置されており、これにより、ポーションパッケージの閉鎖部を特に安定的に形成することができるようになっている。
【００１０】
支持体は、好適には閉鎖位置で容器の上面に、折畳み縁部を介して容器の側壁部分と結合された複数のフラップを有している。折畳み縁部への給湿によって、容器の上面に設けられたフラップの変形および上方旋回を生じさせる膨張過程が開始されてよい。支持体は、好適には閉鎖位置において容器の上縁部に環状に設けられているので、ポーションパッケージの上面を水で湿らせることによって、任意には閉鎖手段を外すことができると共に、特にフラップの上方旋回をもたらす変形過程が導入される。支持体は、好適にはボール紙または厚紙等の、水によって膨張可能な材料から成っているため、折畳み縁部における膨張過程は、相応する、フラップの旋回運動をもたらす。
【００１１】
効率的な製造のために、支持体を備えた容器は、閉鎖位置で上から見ると角張った形状、特に五角〜八角の形状、例えば六角形を有している。これにより、容器の個々の角隅部の間に各１つの折畳み縁部が設けられていてよく、折畳み縁部には各１つのフラップが旋回可能に支承されている。
【００１２】
容器は下側に、支持体によって被覆されていない、好適にはフィルタ材料から成る尖端部を有している。これにより、下部域には、飲料調製時に通流可能なフィルタ材料のみが設けられていることになり、支持体が飲料調製過程を妨げることはない。この場合、尖端部は載頭円錐状または角錐状に形成されていてよく、支持体によって被覆されていない領域は、調製位置におけるポーションパッケージの高さの少なくとも３０％を占めている。この高さは、ポーションパッケージの尖端部が下を向いた使用位置で、鉛直方向に計測する。
【００１３】
有効フィルタ面を拡大するために、複数のスペーサ、例えばリブ、成形部、スタンピングまたは切抜き部が支持体に付け加えられていてよい。これにより、スペーサを介して、フィルタ容器内に正確に支持体を位置決めすることができる。この場合、フィルタ材料は下部域において、フィルタ容器から離れて保持されていてよい。
【００１４】
フィルタ材料は、好適には支持体と共に上面において展開可能であり、このために支持体とフィルタ材料とは互いに接着されているか、または互いに機械的に固定されている。フィルタ材料は、初期位置では容器の上面において折り畳まれており、つまり少なくとも部分的に多層に配置されており、支持体および／または閉鎖手段によって保持され得る。閉鎖手段が外れた後に、フィルタ材料は支持体のフラップと共に旋回することができるようになっているので、初期位置でポーションパッケージの上部カバーを形成するフィルタ材料の領域が、開いて旋回した後に側壁を形成し、これに相応して、ポーションパッケージ内の抽出材料が調製時に膨張することができる。
【００１５】
本発明による方法では、まずポーションパッケージを飲料調製装置に挿入し、次いでポーションパッケージに給水し、ポーションパッケージに設けられた閉鎖手段を水で湿らせることによって外す。閉鎖手段を外すことによって、ポーションパッケージを開き、ポーションパッケージの支持体を展開させることができる。次いで、容器内に配置された飲料調製用の抽出材料に給水し、飲料調製をポーションパッケージの開放位置で行い、これに相応して抽出材料を膨張させることができる。
【００１６】
好適には、閉鎖手段を外すためには熱湯、例えば７０°〜１００°の熱さの水が用いられる。この熱湯は、水の吸収によって局所的な膨張過程が導入されることで、閉鎖手段を外すことにも、支持体の展開にも用いられてよく、これにより展開が生じる。閉鎖手段を外してポーションパッケージを開けるためには、例えば５ｍｌ〜１００ｍｌ、特に１０ｍｌ〜５０ｍｌの範囲の、第１の水の量が用いられる。この水は、特にコーヒーを調製する場合には、事前給湿、膨張およびガス抜き用に、追加的に使用することができる。これは、プレブリューイング（蒸らし）とも呼ばれる。開放後には、飲料調製用の第２の水、特に熱湯の量が供給される。この場合、第２の水の量は、調製する飲料の量に応じて、例えば１００ｍｌ〜５００ｍｌ、特に１５０ｍｌ〜２５０ｍｌの範囲であってよい。
【００１７】
ポーションパッケージを開ける際には、好適には容器の上面に設けられた支持体のフラップが９０°〜１８０°、特に１１０°〜１５０°旋回し、この結果、抽出材料に上方から自由にアプローチすることができ、相応して抽出材料も上方に向かって膨張することができる。フラップが開くことによって追加的に生じる容積は、閉じられたポーションパッケージの元の容積と比べ、少なくとも全く同じ大きさであり、典型的にはそれどころか２倍超の大きさである。追加的な容積は、溶媒によっても利用することができる。コーヒーを調製する場合には、例えばコーヒー粉と水とから成る分散物が生じる。
【００１８】
以下に、添付の図面を参照して複数の実施例に基づき本発明をより詳細に説明する。
【図面の簡単な説明】
【００１９】
【図１】１つのポーションパッケージをそれぞれ異なる位置で示す図である。
【図２】１つのポーションパッケージをそれぞれ異なる位置で示す図である。
【図３】１つのポーションパッケージをそれぞれ異なる位置で示す図である。
【図４】ポーションパッケージを、閉じた初期位置で示す概略図である。
【図５】開放過程の際の、図４に示したポーションパッケージを示す概略図である。
【図６】飲料調製時の、図４に示したポーションパッケージを示す概略図である。
【図７】ポーションパッケージ用のフィルタ材料の裁断片を示す図である。
【図８】ポーションパッケージ用の支持体の裁断片を示す図である。
【図９】閉鎖部材が一体化されて変更された、ポーションパッケージ用の支持体を示す図である。
【図１０】別の実施例によるポーションパッケージを開放位置で示す斜視図である。
【図１１】ポーションパッケージを閉鎖位置で示す斜視図である。
【図１２】開放過程の際の、図１１に示したポーションパッケージを示す図である。
【図１３】開放過程の際の、図１１に示したポーションパッケージを示す図である。
【図１４】開放過程の際の、図１１に示したポーションパッケージを示す図である。
【図１５】開放過程の際の、図１１に示したポーションパッケージを示す図である。
【図１６】開放過程の際の、図１１に示したポーションパッケージを示す図である。
【図１７】図１２〜図１６に示したポーションパッケージ用の支持体の裁断片を示す図である。
【発明を実施するための形態】
【００２０】
ポーションパッケージ１は、フィルタ材料から成る、下側の尖端部４を有する容器２を有しており、下側の尖端部４からは、複数の側壁が上向きに広がるように延在している。図１に示す閉じた位置では、容器２の上縁部に、容器２を環状に包囲する支持体３が位置している。このとき、支持体３は、ポーションパッケージ１の上縁部の領域にのみ設けられている一方で、下向きに突出した尖端部は、支持体３によって覆われてはいない。
【００２１】
容器２は、角錐状に形成されており、尖端部４を起点として広がる複数の側面を有しており、これらの側面は、側縁５を介して互いに結合されている。支持体３は、これらの側面の領域において環状に形成されかつ側面を少なくとも上部域において被覆する複数の区間６を有しており、上部域は、好適には閉じられたポーションパッケージの全高の５０％未満、特に２５〜４０％のポーションパッケージ１の高さに対して形成されている。ここで、高さ方向は、使用位置では好適には鉛直方向を向いている。これらの区間６は、折畳み縁部８を介してフラップ７に結合されており、フラップ７は、初期位置ではポーションパッケージ１の上面に実質的に水平方向に配置されている。フラップ７は、任意には水平方向に対して傾斜して方向付けられていてもよい。少なくとも、ポーションパッケージ１は初期位置では閉じられており、このために、保持手段として形成され各フラップ７を中心領域でまとめる閉鎖手段１０が設けられている。このために、閉鎖手段は、例えば、好適には食品調製用に認可された接着剤によってフラップ７の先端と接着された面状部材として形成されていてよい。別の実施形態では、閉鎖手段は、図９に図示すると共に以下で説明するように、支持体の幾何学形状に組み込まれていてよい機械的な係止手段として形成されていてもよい。
【００２２】
図２には、ポーションパッケージ１の開放中間位置が示されている。閉鎖手段１０を外すことにより、支持体のフラップ７が折畳み縁部８を中心として旋回可能になり、ここで、フラップ７には容器２のフィルタ材料の上側部分が固定されている。フィルタ材料は、閉鎖位置では上部域が折り畳まれるように形成されており、次いでフラップ７の旋回によって展開され得るようになっている。
【００２３】
図３では、ポーションパッケージ１が開放位置で示されており、開放位置ではフラップ７は約１３０°だけ、つまり１１０°〜１５０°の間で旋回しており、これにより、少なくとも部分的にフラップ７に固定されたフィルタ材料の上側部分９も、同様に旋回している。この開放位置では、ポーションパッケージ１内に配置された抽出材料に上方からアプローチ可能であり、例えば熱湯を注ぐことができる。
【００２４】
図４にはポーションパッケージ１が、飲料調製過程を表すために略示されている。ポーションパッケージ１内には、抽出材料１１、特にコーヒー粉が位置している。フィルタ材料から成る容器２は、断面図で見て実質的に三角形に形成されており、下側の尖端部４と、実質的に水平方向を向いた上側部分９とを有している。液滴１４によって略示するような、第１の、例えば１０ｍｌ〜５０ｍｌの水、特に熱湯の量により、ポーションパッケージ１の上面に配置された閉鎖手段１０を外すことができる。水で湿らせることで、接着剤を剥がすか、閉鎖手段の材料を、機能しなくなるまで弱めるか、または差込み結合部の剛性を低下させることができ、この結果、閉鎖手段によって保持力を形成することがもはやできなくなる。
【００２５】
第１の水の量は、好適にはポーションパッケージ１の上面において液体が分散可能であり、したがって支持体３も少なくとも部分的に水を十分に吸収し得る程度の量である。支持体３は、好適にはボール紙または厚紙から成っている。
【００２６】
図５に示すように、支持体の上側の１つの折畳み縁部８では、水で濡らすことにより局所的な膨張過程が生じてよく、この局所的な膨張過程によって折畳み縁部の内面が膨張し、その結果、フラップ７が区間６に対して旋回する。膨張は、折畳み縁部の内面において支持体３の材料が圧縮されており、水を吸収することで体積増大が起こることにより達成される。
【００２７】
フラップ７の旋回により、ポーションパッケージ１は上向きに開かれ、特にコーヒーまたはお茶を作るための抽出材料１１に熱湯を供給することができる。抽出材料の膨張により、抽出材料の体積が増大し、これを追加体積１２としての上部域によって図示する。特に高価値のコーヒーを調製する場合には、事前に湿らせるステップ、膨張ステップおよびガス抜きステップが重要である。
【００２８】
図６には、飲料を調製するための抽出過程が略示されている。液滴１４で示す第２の水の量が上方からポーションパッケージ１に供給され、抽出材料１１、特にコーヒー粉に注がれる。このとき、特にコーヒー粉の場合には抽出過程で生じるのと同様に、抽出材料は上方に向かって拡大し、追加的に溶媒と共に分散してよい。このことは図中、乾燥したコーヒー粉の体積を上回る追加体積１３として示されている。側壁において濾過された飲料１５が流出し、液滴で表したように下方で集合して、例えばカップに溜められてよい。ユーザは、飲料調製後にポーションパッケージのフラップ７を良好に把持して廃棄することができる。
【００２９】
図７には、フィルタ材料を容器２に仕立てる前の材料裁断片が示されている。フィルタ材料は、平らな位置では実質的に円弧形に形成されており、この場合、外周には丸みの付いた周に代えて直線的な縁部が設けられており、代替的には縁部に代えて円弧が設けられていてもよい。いずれにしろ、フィルタ材料から成る裁断片は、皿状、円錐状または角錐状の基本形状を得るために尖端部４において互いに重なり合いかつ例えば接着またはスタンピングによって結合される、２つの縁帯５０および５１を有している。フィルタ材料は、好適にはフィルタペーパから成っている。
【００３０】
図８には、支持体３の裁断片が平らな状態で示されている。支持体３は、開いた環状部分を有しており、環状部分には、外側に突出した複数のフラップ７が設けられている。フラップ７は、Ｖ字形または円錐形に形成されており、外側に向かって先細になっている。フラップ７は、つながっている部分６と折畳み縁部８を介して結合されており、この場合、一方の端部側の部分６に縁部分３０が一体成形されており、縁部分３０は、部分６の反対側の端部に、特に接着、シールまたはスタンピングにより結合されて、環状の支持体３が形成される。次いで、フラップ７は、ポーションパッケージ１を形成するように、少なくとも部分的にフィルタ材料の上側部分９に、やはり好適には接着、シールまたはスタンピングの各結合技術によって結合されてよい。
【００３１】
図９には、変更された支持体３’の材料裁断片が、それぞれ異なる位置および組立て状態で示されている。支持体３’は、初期位置では平らに形成されており、開いた輪を形成する内周につながっている部分６’を有している。部分６’から外側に向かって、Ｖ字形に形成されたフラップ７’が突出しており、各フラップには切抜き部３１が形成されている。平らな裁断片には、支持体３’の形成用にまず折畳み縁部８が設けられ、これにより、フラップ７’は部分６’に旋回可能に支承されている。個々のフラップ７’には閉鎖手段として、フラップ７’の端部側に突出した突起１０’が形成されている。支持体３’が縁部分３０’を介して輪になるように形成されている場合、支持体３’は、抽出材料、特にコーヒー粉が充填される、フィルタ材料から成る容器２に配置される。次いで、フィルタ材料の部分９に少なくとも部分的に結合されていてよいフラップ７’が閉鎖位置に旋回される。この場合、閉鎖手段は、ポーションパッケージを機械的に係止する複数の突起１０’により形成されている。このことは、追加的な要素および接着剤の使用を不要にすることができる。この実施例でも、ポーションパッケージの開放は、ポーションパッケージの上面に供給される熱湯を使用することによって行われ、したがって支持体３’の、特に折畳み縁部８の領域における膨張過程が、支持体に加えられた予荷重と部分的に組み合わされて、フラップ７’に、突起１０’による保持力を克服させ、次いでフラップ７’を旋回させる。切抜き部３１の変更により、開放過程に影響を及ぼすことができる。
【００３２】
開放速度を最適化するために、周方向に延在する折畳み縁部８のところで、２０％〜５０％が切り抜かれていてよい。折畳み縁部８のところに切抜き部１８が全く設けられていないと、フラップ７および７’は確かに、切抜き部１８が設けられている場合よりも低速で、しかしその代わりにより多くの力でもって開く。縁部８のところではなく、フラップ７／７’’の面に位置する任意の切抜き部１９もやはり、開放過程に影響を及ぼす。なぜなら、フラップ７／７’’の曲げ剛性ひいては閉鎖手段１０／１０’’の機能に影響が及ぼされるからである。
【００３３】
図示の実施例では、コーヒー調製用のポーションパッケージが想定されている。もちろん、別の飲料、特にお茶またはコーヒー混合飲料を作ることも可能であり、この場合、飲料調製に問題が生じること無しに、ポーションパッケージの開放に基づき、用いられる抽出材料が拡大しかつ膨張することができる。さらに、完全に可溶性の抽出材料も使用可能であり、例えばココア飲料を作る際にはフィルタ部材が、飲料中に不溶塊が一切流入しないことを保証する。
【００３４】
図１０には、別の実施例によるポーションパッケージが開放位置で示されている。ポーションパッケージ１は、先行実施例の場合と同様に、液体透過性のフィルタ材料、特にフィルタペーパから成る容器２を有しており、容器２を包囲して支持体３が環状に配置されている。容器２は、使用位置で下側に配置される尖端部４を備えて実質的に角錐状に形成されており、尖端部４からは、側縁５を介して互いに結合された、フィルタ材料から成る複数の側壁が、上向きに拡開するように配置されている。
【００３５】
支持体３は、ボール紙または比較的厚い紙から製造されていてよく、側縁のところで容器２のフィルタ材料と例えば接着によって結合されていてよい側方の区間６を有している。この場合、側方の区間は帯状に形成され、側壁の上部域にのみ配置されているため、尖端部４に隣接するフィルタ材料は、区間６によって被覆されてはいない。別の構成では、容器２はフラップ７’’のところでのみ、支持体と結合されている。
【００３６】
支持体３は側方の区間６に、それぞれ折畳み縁部８を介して側方の区間６に結合された旋回可能なアームまたはフラップ７’’を有している。図示の実施例では、実質的に三角形に形成されており、容器２の内部空間を六角形状に包囲する６つのフラップ７’’が設けられている。フラップ７’’には、フィルタ材料から成る部分が例えば接着によって固定されているため、フラップ７’’が動くと、フィルタ材料も旋回する。各フラップ７’’には、開放を容易にするために、切抜き部１８が設けられている。フラップ７’’の領域において切抜き部１８を省くことも可能である。
【００３７】
各フラップ７’’には端部側に閉鎖手段１０’’が設けられており、閉鎖手段１０’’は、ガイド縁部１６と係止突起１７とを有している。各閉鎖手段１０’’が互いに重なり合うように折り畳まれることにより、２つ、３つまたは４つのフラップ７’’の閉鎖手段１０’’を互いに係止することができる。
【００３８】
容器２内には、抽出材料、特にコーヒー粉または茶葉が位置している。
【００３９】
図１１には、角錐状に形成されたポーションパッケージ１が閉鎖位置で示されている。この状態で、ポーションパッケージ１を所定の機械に挿入して、抽出飲料を調製することができる。図１０と比べ、切抜き部１９が折畳み縁部８までは延びておらず、やや小さく形成されており、その他の点では、この実施例は図１０に相当する。所望の機能に応じて、切抜き部１９は様々な幾何学形状を有していてよい、または切抜き部１９は省かれてもよい。
【００４０】
図１２〜図１６を参照して、開放過程をより詳細に説明する。ポーションパッケージ１を開けるために、フラップ７’’の開放を選択的に手動で、または液体、特に熱湯の供給を介して行うことができ、これが、折畳み縁部８の領域の支持体３に膨張過程をもたらすと共に、自動的な開放を引き起こす。
【００４１】
図１２では３つのフラップ７’’がやや開かれており、これら３つのフラップ７’’は、閉鎖手段１０’’の領域において互いにオーバラップしていると共に、各折畳み縁部８を中心として共に旋回可能である。その際に閉鎖手段１０’’は係止解除され、ガイド縁部１６に沿って滑動する。別の３つのフラップ７’’は、図１２ではまだ係止された閉鎖位置にあるため、この位置では３つの閉じられたフラップ７’’により、コーヒー粉の流出が防止される。開放過程を容易にするために、図１２〜図１６ではフラップ７’’の領域においてフィルタ材料の上側部分９が省かれている。
【００４２】
図１３には、図１２に示したポーションパッケージ１が平面図で示されている。ポーションパッケージ１が、矢印によって象徴的に示された衝突荷重または圧縮荷重に晒されると、場合により、閉鎖手段１０’’が閉鎖位置では下側の３つのフラップ７’’の閉鎖手段１０’’の上側に配置されている上側の３つのフラップ７’’が、開くことがある。それにもかかわらず、ポーションパッケージ１は閉じられたままである。なぜなら、下側の３つのフラップ７’’の閉鎖手段１０’’が係止し続けるからである。剪断荷重によるねじれの場合には、方向に応じて、各フラップ７’’から形成された下側または上側の３つのスポークが閉鎖部を安定させる。なぜなら、ガイド縁部１６と係止突起１７とが、それぞれ交互に一方または他方の方向を向いているからである。
【００４３】
図１４では、３つのフラップ７’’が９０°を越えて旋回した一方で、下側の３つのフラップ７’’は、閉鎖手段１０’’により未だ係止されている。下側の３つのフラップ７’’は、容器２を未だ実質的に閉鎖していることが認められ、このとき、フィルタ材料が下側のフラップ７’’の領域において追加的に、ポーションパッケージ１の開口を封止している。
【００４４】
図１５には、下側のフラップ７’’がやや開かれた位置で示されており、この位置で閉鎖手段１０’’が係止解除される。図１６には、ポーションパッケージ１が完全に開かれた位置で示されており、この場合は開放機構をより良好に見ることができるようにするために、フラップ７’’の領域にフィルタ材料は一切図示されていない。さらに、ポーションパッケージ１には抽出材料も充填されていない。
【００４５】
ポーションパッケージ１が液体による膨張過程を介して開かれる場合には、６つのフラップ７’’が実質的に同時に開かれ、この場合、下側のフラップ７’’の閉鎖手段１０’’の上側に配置された上側の閉鎖手段１０’’を備えたフラップ７’’が、ごく短時間で順次外される。膨張過程を介して、各フラップ７’’は実質的に同時に旋回する。
【００４６】
図１７には、支持体３が裁断片で示されている。支持体３は、ボール紙から成る一体の構成部材として製造されており、それぞれ折畳み縁部８を介して側方の区間６に結合された６つのアームまたはフラップ７’’を有している。側方の区間６は、折畳み縁部３３に沿って環状に折り畳まれてよく、一方の端部側の区間６には、反対側の側方の区間６と例えば接着によって結合可能な結合ウェブ３４が一体成形されている。結合ウェブ３４には切欠き３１が設けられており、切欠き３１は、接着時に一方の端部側の側方の区間６に設けられた切欠き３２と整合して、支持体３を位置調整することができる。フィルタ材料から成る裁断片も、やはり一体に製造されていてよく、袋状の容器２を形成するために、結合部分に沿って接着されてまたはスタンピングによって互いに結合されていてよい。支持体３は、好適にはフィルタ材料の外側に取り付けられるが、任意にはフィルタ材料の内面に設けられてもよい。さらに、フラップ７’’の数も可変であってよい。
【符号の説明】
【００４７】
１  ポーションパッケージ
２  容器
３，３’  支持体
４  尖端部
５  側縁
６  区間
７，７’，７’’  フラップ
８  折畳み縁部
９  部分
１０，１０’’  閉鎖手段
１０’  突起
１１  抽出材料
１２  追加体積
１３  追加体積
１４  液滴
１５  飲料
１６  ガイド縁部
１７  係止突起
１８  切抜き部
１９  切抜き部
３０，３０’  縁部分
３１  切欠き
３２  切欠き
３３  折畳み縁部
３４  結合ウェブ
３１  切欠き
５０  縁帯
５１  縁帯
【図１】
2021510656.tif 000003
【図２】
2021510656.tif 000004
【図３】
2021510656.tif 000005
【図４】
2021510656.tif 000006
【図５】
2021510656.tif 000007
【図６】
2021510656.tif 000008
【図７】
2021510656.tif 000009
【図８】
2021510656.tif 000010
【図９】
2021510656.tif 000011
【図１０】
2021510656.tif 000012
【図１１】
2021510656.tif 000013
【図１２】
2021510656.tif 000014
【図１３】
2021510656.tif 000015
【図１４】
2021510656.tif 000016
【図１５】
2021510656.tif 000017
【図１６】
2021510656.tif 000018
【図１７】
2021510656.tif 000019
【国際調査報告】
2021510656.tif 000020
2021510656.tif 000021
2021510656.tif 000022
2021510656.tif 000023
2021510656.tif 000024